(57)【要約】【課題】第１構造物の床と第２構造物の床とに跨って設けられる床用エキスパンションジョイントにおいて、第１構造物の床および第２構造物の相対的に変位により傾いたままとなった上面を、容易に水平に戻すことができるようにする。【解決手段】床面２ｂの第１構造物１寄りの端から、第１構造物１に近づくに従って下がっていくように傾斜するように設けられた傾斜面３１ａと、傾斜面３１ａの下端から、第１構造物１の存在する方向に向かって、床面２ｂと並行に設けられた載置面３２ａと、一端部が第１構造物１に、第１構造物１に対し上下方向に回動可能に取り付けられるとともに、他端部が載置面３２ａに載置されたカバー体４と、を備え、傾斜面３１ａを形成する部材３は、第２構造物２に対し着脱可能である。【選択図】図２
2015148066.tif 000002
【特許請求の範囲】
【請求項１】
第１構造物の床と、前記第１構造物から所定距離離間する第２構造物の床とに跨って設けられる床用エキスパンションジョイントであって、
前記第２構造物床面の前記第１構造物方向の側方から、前記第１構造物に近づくに従って下がっていくように傾斜する傾斜面と、
前記傾斜面の下端から、前記第１構造物の存在する方向に向かって、前記床面と並行に延びる載置面と、
一端部が前記第１構造物に、前記第１構造物に対し上下方向に回動可能に取り付けられるとともに、他端部が前記載置面に載置されたカバー体と、を備え、
前記傾斜面を形成する部材は、前記第２構造物に対し着脱可能であることを特徴とする床用エキスパンションジョイント。
【請求項２】
前記カバー体は、本体と、前記本体に着脱可能に取り付けられた床板ユニットと、で構成されていることを特徴とする請求項１に記載の床用エキスパンションジョイント。
【請求項３】
前記本体の底部には穴または凹部が設けられ、
前記床板ユニットの下面には、前記本体に取り付けた際に、前記穴または凹部に嵌合する凸部が設けられていることを特徴とする請求項２に記載の床用エキスパンションジョイント。
【請求項４】
第１構造物の床と、前記第１構造物から所定距離離間する第２構造物の床とに跨って設けられ、
前記床面の前記第１構造物寄りの端から、前記第１構造物に近づくに従って下がっていくように傾斜する傾斜面と、
前記傾斜面の下端から、前記第１構造物の存在する方向に向かって、前記床面と並行に延びる載置面と、
一端部が前記第１構造物に、前記第１構造物に対し上下方向に回動可能に取り付けられるとともに、他端部が前記載置面に載置されたカバー体と、を備え、
前記傾斜面を形成する部材は、前記第２構造物に対し着脱可能である床用エキスパンションジョイントが、前記第１構造物および前記第２構造物の相対的な変位によって変形した場合に用いる床用エキスパンションジョイントの取替方法において、
前記カバー体を持ち上げ、
前記傾斜面を形成する部材を取り外し、
前記第１構造物に近づくに従って下がっていくように傾斜する第２の傾斜面を、その下端から前記第１構造物までの距離が、前記第１構造物および前記第２構造物の変位前における前記傾斜面の下端から前記第１構造物までの距離と同じになる個所に形成する第２の傾斜面を形成する部材を取り付け、
前記カバー体の他端部を前記載置面に載置することを特徴とする床用エキスパンションジョイントの取替方法。
【発明の詳細な説明】
【技術分野】
【０００１】
本発明は、構造物の床と床とを接続する床用エキスパンションジョイント、および構造物の変位によってこの床用エキスパンションジョイントがせり上がったままとなった場合の取替方法に関する。
【背景技術】
【０００２】
構造物は、規模や構造によって地震発生時の挙動が異なる。このため、所定の間隔を空けて隣接する、規模や構造が異なる構造物同士を繋げる際には、エキスパンションジョイントを用いて連結するのが一般的である。特に、構造物の床と床とを繋げる床用エキスパンションジョイントとしては、２つの構造物に跨がって配置されるカバー体と、それを一方の構造物に回動可能に支持する支持具とを備え、カバー体は、枠状の本体を有し、その底面にはローラーが取り付けられ、本体の先端にはカバープレートがヒンジを介して回動可能に取り付けられたものが知られている。この床用エキスパンションジョイントが取り付けられた構造物同士が、地震により互いに近づくように変位すると、ローラーが傾斜面に乗り上げ、カバープレートがせり上がるようになっている（特許文献１参照）。
【先行技術文献】
【特許文献】
【０００３】
【特許文献１】特開２０１２−２４１３２１号公報
【発明の概要】
【発明が解決しようとする課題】
【０００４】
通常は、地震が収まることにより、変位した構造物も元の位置に戻り、せり上がったカバー体も水平に戻る。しかし、地震が非常に大きかった場合、構造物同士の間隔が完全には元に戻らず、カバー体がある程度せり上がったままとなってしまうことがある。勿論、この状態であっても使用することは可能だが、その状態を放置すると、元の水平な状態に比べて通行者が転倒するなどの２次災害を及ぼす可能性が高くなるので、速やかな復旧（カバー体上面を水平に戻すこと）が望まれる。しかしながら、従来の床用エキスパンションジョイントは、各部材が構造物の躯体に固定されていたために、補修に手間がかかり、復旧までに長時間を要していた。
【０００５】
本発明は、上記課題に鑑みてなされたもので、第１構造物の床と第２構造物の床とに跨って設けられる床用エキスパンションジョイントにおいて、第１構造物の床および第２構造物の相対的に変位により傾いたままとなった上面を、容易に水平に戻すことができるようにすることを目的とする。
【課題を解決するための手段】
【０００６】
上記課題を解決するため、本発明は、第１構造物の床と、前記第１構造物から所定距離離間する第２構造物の床とに跨って設けられる床用エキスパンションジョイントであって、前記第２構造物床面の前記第１構造物方向の側方から、前記第１構造物に近づくに従って下がっていくように傾斜する傾斜面と、前記傾斜面の下端から、前記第１構造物の存在する方向に向かって、前記床面と並行に延びる載置面と、一端部が前記第１構造物に、前記第１構造物に対し上下方向に回動可能に取り付けられるとともに、他端部が前記載置面に載置されたカバー体と、を備え、前記傾斜面を形成する部材は、前記第２構造物に対し着脱可能であることを特徴とする。
【０００７】
また、新しく交換する部品は傾斜面を形成する部材のみとなり、その他の部品は補修前から使用していたものをそのまま再利用できるので、低コストで補修作業を行うことができる。
また、この床用エキスパンションジョイントの復旧工事においては、足場や仮囲いなどが不要となり、下の階の利用者への影響を少なくすることができる。このため、例えば駅の人工地盤のように、その下方を列車や歩行者が通過するような箇所に設置された床用エキスパンションジョイントの復旧を行う場合であっても、時間を選ばずに作業を行うことができ、工期の短縮を図ることができる。
【０００８】
また、望ましくは、上記発明において、前記カバー体は、本体と前記本体に着脱可能に取り付けられた床板ユニットとで構成されたものにするとよい。
このようにすれば、床板ユニットの上面が損傷し、床用エキスパンションジョイントの外観が損なわれたとしても、床板ユニットを取り外し、床板ユニットの上面を構成する一部の部品のみを交換するだけで補修ができるので、補修作業が容易になる。
また、例えば、構造物の床面の外観を変更したい場合などに、床板ユニットのみを交換するだけで構造物の床面に合わせることができるので、内装の変更が頻繁な商業施設において、床用エキスパンションジョイントの外観のみ変更できない、或いは変更が遅れる、といった事態を避けることができる。
また、床板ユニットを取り外した後の本体は再利用できるので経済的である。
特に、前記床板ユニットを、上面が開口した箱状の枠と、前記枠の開口に着脱可能に取り付けられる化粧パネルと、で構成すれば、上述した補修作業が更に容易になる。
【０００９】
また、望ましくは、上記発明において、前記本体の底部には穴または凹部が設けられ、前記床板ユニットの下面には、前記本体に取り付けた際に、前記穴または凹部に嵌合する凸部が設けられたものにするとよい。
このようにすれば、地震動や歩行者の通行によって、床板ユニットが水平方向に移動し、床板ユニットと床板ユニットとの隙間が広がってしまうのを防ぐことができる。
【００１０】
また、本発明は、第１構造物の床と、前記第１構造物から所定距離離間する第２構造物の床とに跨って設けられ、前記床面の前記第１構造物寄りの端から、前記第１構造物に近づくに従って下がっていくように傾斜する傾斜面と、前記傾斜面の下端から、前記第１構造物の存在する方向に向かって、前記床面と並行に延びる載置面と、一端部が前記第１構造物に、前記第１構造物に対し上下方向に回動可能に取り付けられるとともに、他端部が前記載置面に載置されたカバー体と、を備え、前記傾斜面を形成する部材は、前記第２構造物に対し着脱可能である床用エキスパンションジョイントが、前記第１構造物および前記第２構造物の相対的な変位によって変形した場合に用いる床用エキスパンションジョイントの取替方法において、前記カバー体を持ち上げ、前記傾斜面を形成する部材を取り外し、前記第１構造物に近づくに従って下がっていくように傾斜する第２の傾斜面を、その下端から前記第１構造物までの距離が、前記第１構造物および前記第２構造物の変位前における前記傾斜面の下端から前記第１構造物までの距離と同じになる個所に形成する第２の傾斜面を形成する部材を取り付け、前記カバー体の他端部を前記載置面に載置することを特徴とする。
【００１１】
このようにすれば、傾斜面を形成する部材を、第２の傾斜面を形成する部材に交換するだけで、傾いた床用エキスパンションジョイントの上面を水平に戻すことができるので、容易かつ低コストで復旧作業を行うことができる。
【発明の効果】
【００１２】
本発明によれば、第１構造物の床と第２構造物の床とに跨って設けられる床用エキスパンションジョイントにおいて、第１構造物の床および第２構造物の相対的に変位により傾いたままとなった上面を、容易に水平に戻すことができる。
【図面の簡単な説明】
【００１３】
【図１】本発明の第１実施形態に係る床用エキスパンションジョイントの上面図である。
【図２】図１のII−II断面図である。
【図３】（ａ）は床板ユニットの枠の上面図であり、（ｂ）は（ａ）のｂ−ｂ断面図である。
【図４】カバー体の縦断面および床板ユニットの取り付け／取り外し方法及び振動時偏り防止機構による床板ユニットの位置決めの仕組みを説明する図である。
【図５】化粧パネルの変更例を示す断面図である。
【図６】図１の床用エキスパンションジョイントを設置した構造物が変位し、床用エキスパンションジョイントがせり上がったままとなってしまった場合の復旧方法について説明する図である。
【図７】本発明の第２実施形態に係る床用エキスパンションジョイントの上面図である。
【発明を実施するための形態】
【００１４】
＜第１実施形態＞
以下、図面を参照して、本発明の第１実施形態について詳細に説明する。
【００１５】
〔床用エキスパンションジョイントの構成〕
まず、本実施形態の床用エキスパンションジョイントの具体的構成について説明する。図１は、床用エキスパンションジョイント１００の上面図である。
本実施形態の床用エキスパンションジョイント（以下ジョイント１００）は、床用のものであり、図１に示すように、第１構造物１と、第１構造物１と所定間隔Ｗ１を空けて設けられている第２構造物２との間にある空間Ｃ１を上から覆うように構成されている。
【００１６】
図２（ａ）は図１のII−II断面図であり、図２（ｂ）は（ａ）の分解図である。
ジョイント１００は、図２（ａ），（ｂ）に示すように、第２構造物２の上に設けられたスライドガイド３、第１構造物１とスライドガイド３とに跨がって設けられたカバー体４、で構成されている。
【００１７】
第１構造物１は、第１躯体１１と、床面１ａを構成する床板ユニット１２、第１支持部材１３等で構成されている。第１躯体１１の第２構造物２寄りの端部には、凹部１１ａが、第１構造物１の床面１ａおよび壁面１ｂに沿うように形成されている。第１支持部材１３は、図２（ｂ）に示すように、第１躯体１１の凹部１１ａの底面に沿って設けられた水平部１３１と、水平部１３１の第２構造物２から遠い方の端部から上方に延びる垂直部１３２とによって、断面が略Ｌ字状となるように形成されている。垂直部１３２の上端には第２構造物２の方向に水平に延びる支持部１３３が形成され、この支持部１３３にはねじ穴１３３ａが形成されている。
【００１８】
第２構造物２は、第２躯体２１と、床面２ａを構成する床板ユニット２２、第２支持部材２３等で構成されている。第２躯体２１の第１構造物１寄りの端部には、凹部２１ａが、第２構造物２の床面２ａおよび壁面２ｂに沿うように形成されている。第２支持部材２３は、鋼板を折り曲げ加工したもので、凹部２１ａの底面に沿って設けられた水平部２３１と、水平部２３１の、第１構造物１から遠い方の端部から上方に延びる垂直部２３２とによって断面Ｌ字状に形成されている。垂直部２３２の上端には第１構造物１の方向に水平に延びる支持部２３３が形成され、この支持部２３３、および水平部２３１の第１構造物１に近い方の端部には、ねじ穴２３３ａ，２３１ａがそれぞれ形成されている。
【００１９】
スライドガイド３は、鋼板を折り曲げ加工したもので、第１構造物１から離れるにしたがって上がっていく傾斜面３１ａを有する傾斜部３１と、傾斜部３１の下端から第１構造物１に近づく方向へ水平に延びる載置面３２ａを有する下水平部３２と、傾斜部３１の上端から第１構造物１から離れる方向へ水平に伸びる上水平部３３と、を有している。下水平部３２の第１構造物１寄りの端部および上水平部３３には、ねじ穴３２ｂ，３３ａがそれぞれ形成されており、上述した第２支持部材２３に取り付けたときに、第２支持部材２３のねじ穴２３１ａ，２３３ａとそれぞれ重なるようになっている。このねじ穴３２ｂ，３３ａとねじ穴２３１ａ，２３３ａとを重ねた状態でねじ止めすることにより、スライドガイド３は、第２支持部材２３に固定される。そして、ねじを緩めて取り外せば、スライドガイド３を第２支持部材２３から容易に取り外すことができる。
【００２０】
カバー体４は、本体４１と、床板ユニット４５とで構成されている。本体４１は、収納部４２と、収納部４２の第１構造物１から遠い方の端部に取り付けられたカバープレート４３と、収納部４２の第１構造物１に近い方の端部に取り付けられた回動部４４とで構成されている。本体４１の厚さは、スライドガイド３の載置面３２ａから第２構造物２の床面２ａまでの距離（第１支持部材１３の水平部１３１の上面から第１構造物１の床面１ａまでの距離）と略同じになっている。収納部４２は、上面視矩形の底部４２１と、底部４２１の第１構造物１に近い方の端部から鉛直上方向に延びる第１垂直部４２２と、底部４２１の第１構造物１から遠い方の端部から鉛直上方向に延びる第２垂直部４２３とによって、断面が上方に開口する略コ字状となるように形成されている。
【００２１】
底部４２１は上板４２１１と下板４２１２によって二重底となっており、上板４２１１の四隅には、それぞれ穴４２１１ａが形成されている。カバープレート４３は、鋼板からなり、第２垂直部４２３の上端に設けられたヒンジ４１ａにより、収納部４２に対し上下方向に回動可能となっている。回動部４４は、第１垂直部４２２の上端に設けられたヒンジ４１ｂにより、収納部４２に対し上下方向に回動可能となっている。回動部４４の上面には、ねじ穴４４ａが形成されており、上述した第１支持部材１３に取り付けたときに、支持部１３３のねじ穴１３３ａと重なるようになっている。このねじ穴４４ａとねじ穴１３３ａとを重ねた状態でねじ止めすることにより、本体４１は、第１支持部材１３に回動可能に固定される。そして、ねじを緩めて取り外せば、本体４１を第１支持部材１３から容易に取り外すことができる。
【００２２】
床板ユニット４５は、図２（ｂ）に示したように、それぞれ枠４６と、化粧パネル４７とで構成されている。
図３（ａ）は枠４６の上面図であり、図３（ｂ）は（ａ）のｂ−ｂ断面図である。枠４６は、図３（ａ），（ｂ）に示すように、上面視矩形の底部４６１と、底部４６１の周縁部に形成された側壁４６２とによって、上面が開口した箱状に形成されている。底部４６１の下面には、ゴムなどの緩衝剤４６ａが張り付けられている。底部４６１の四隅には、図４に示すように、ボルト穴４６１ａがそれぞれ形成されている。各ボルト穴４６１ａには、下からボルト４６３が通され、このボルト４６３に長ナット４６４が上から螺合している。ボルト４６３の頭部は、床板ユニット４５を本体４１に取り付けたときに、上述した収納部４２の穴４２１１ａに嵌合するようになっている。つまり、ボルト４６３の頭部が凸部をなしている。これにより、地震動や歩行者の通行によって床板ユニット４５が水平方向に移動して、床板ユニット４５と床板ユニット４５との間の隙間が広がってしまうのを防ぐことができる。
【００２３】
化粧パネル４７は、構造物１，２の床板ユニット１２，２２と同じ材質或いは外観の板状の部材で、床板ユニット４５の上面をなす。化粧パネル４７は、枠４６の底部４６１との間に下地材（図示省略）を介在させることで、図２に示したように、底部４６１から離間した状態で取り付けられている。化粧パネル４７は、枠４６から取り外し可能に構成されているので、構造物１，２の床面１ａ，２ａを変更した場合には、それまで取り付けてあった床板ユニット４５を、構造物１，２の床面１ａ，２ａと同じ外観の化粧パネル４７を取り付けた床板ユニット４５に取り換えることにより、簡単に外観を合わせることができる。駅ビルなどの商業施設などで、内装の変更が頻繁に行われる場合にも簡単に対応することができる。また、化粧パネル４７の外観によって材質は異なる。このため、化粧パネル４７を異なる外観のものに変更する場合には、材質に合わせて化粧パネル４７の厚さを変えなければならない場合が出てくる。しかし、下地材も枠４６から取り外し可能に構成されているため、高さの異なる下地材に取り換えることにより、図５に示すように、枠４６に、元の化粧パネル４７とは厚さの異なる新たな化粧パネル４７Ａ，４７Ｂを取り付けることができる。
【００２４】
このように構成された本実施形態の床用エキスパンションジョイント１００は、施工当初は、図２（ａ）に示したように、本体４１の第１構造物１から遠い方の端が、下水平部３２と傾斜部３１との境界部に位置している。このため、カバー体４の本体４１の底面がスライドガイド３の下水平部３２の載置面３２ａに接し、カバー体４の上面は、構造物１，２の床面１ａ，２ａと面一になっている。この床用エキスパンションジョイント１００が設置された構造物１，２に地震動が作用し、例えば、第１構造物１および第２構造物２が互いに近づくように変位すると、カバー体４は、第１構造物１との相対位置は変化させずに、スライドガイド３の上を傾斜面３１ａのある方向（図の右方向）に移動するため、傾斜部３１と下水平部３２との境界部に端を位置させていた収納部４２が、図６（ｂ）に示すように、スライドガイド３の傾斜面３１ａを摺動することによって持ち上げられ、第１支持部材１３との係合部を中心として上方向に回動する。このとき、カバープレート４３は、基端部が持ち上げられるが、収納部４２とは逆方向に回動しながら先端が第２構造物２の床面２ａに接した状態を保つので、床面２ａとの間に隙間ができることはない。第１構造物１および第２構造物２が元の位置に戻ると、収納部４２がスライドガイド３の傾斜面３１ａを下りながら摺動し、カバー体４の上面は、図６（ａ）に示したように水平に戻る。
【００２５】
〔床用エキスパンションジョイントの取り替え方法１〕
次に、上記ジョイント１００の取替方法を用いる用途の一つとして、ジョイント１００の外観を変更する場合について説明する。
【００２６】
まず、図４に示したように、先端にねじが切られたＴ字状の工具Ｔを４本用意し、各工具Ｔの先端を、これから交換しようとする床板ユニット４５の四隅に取り付けられているナット４６４とそれぞれ螺合させる。そして、各工具Ｔを一斉に上方に引っ張る。すると、床板ユニット４５が本体４１から離れ、持ち上げられる。
床板ユニット４５を本体４１から取り外した後は、各床板ユニット４５の枠４６から化粧パネル４７を取り外す。そして、化粧パネル４７を取り外した枠４６に、新たな化粧パネル４７を取り付ける。化粧パネル４７の損傷に伴う取り替えの場合は同じ外観の化粧パネル４７に、構造物１，２の内装変更に伴う取り替えの場合は構造物１，２の床板ユニット１２，２２の外観と同じ化粧パネル４７を取り付ける。
【００２７】
枠４６に新たな化粧パネル４７を取り付けた後は、床板ユニット４５に再び工具Ｔを取り付け、工具Ｔを引っ張り上げることにより、床板ユニット４５を持ち上げ、本体１１の取り付け箇所の上方まで移動させる。そして、床板ユニット４５を、上面を水平に保ったまま下ろしていく。すると、床板ユニット４５の凸部（ボルト）４６３が、本体４１の孔４２１１ａに嵌合し、床板ユニット４５が再び本体４１に取り付けられる。そして、最後に工具Ｔを取り外す。こうして、化粧パネル４７が元のものから別の模様のものに、或いは、傷のついたものから傷のないものに変更され、ジョイント１００の外観変更作業が終了する。
【００２８】
〔床用エキスパンションジョイントの取替方法２〕
次に、上記ジョイント１００の取替方法を用いるもう一つの用途として、構造物１，２が変位したまま元の位置に戻らなくなり、図６（ｂ）に示したように、ジョイント１００がせり上がったままとなった状態から、上面が水平になった状態に復旧させる場合について説明する。
【００２９】
まず、変位が吸収可能な所定範囲内（本体４１が第２構造物２の床面２ａに乗り上げない程度）であるか否かを調べる。そして、変位が所定範囲内であった場合には、構造物１，２の変位量を測定する。具体的には、変位前の空間Ｃ１の幅をＷ１、変位後の幅をＷ２としたときのＷ１−Ｗ２を求める。そして、その変位を吸収するための新たなスライドガイド３Ａを製作する。具体的には、下水平部３２Ａの、構造物１，２が変位した方向の幅が、構造物１，２の変位分Ｗ１−Ｗ２だけ長く、上平面部３３Ａの構造物１，２の変位方向の幅が同じ分Ｗ１−Ｗ２だけ短い（全長は変わらない）ものを製作する。その後、上述した外観変更の場合と同様にして、床板ユニット４５を本体４１から取り外して図６（ｃ）の状態にする。その後、カバー体４の回動部４４と第１支持部材１３とを結合しているねじを緩めて取り外し、図６（ｄ）に示すように、本体４１を上方に持ち上げることにより第１支持部材１３から取り外す。そして、図６（ｅ）に示すように、スライドガイド３と第２支持部材２３とを結合しているねじを緩めて取り外し、スライドガイド３を持ち上げることにより、第２支持部材２３から取り外す。
【００３０】
取り外し可能な各部材を撤去した後は、図６（ｆ）に示すように、第２支持部材２３に、新しく製作したスライドガイド３Ａを取り付ける。この新しいスライドガイド３Ａが取り付けられることにより、傾斜面３１ａは構造物１，２の変位分Ｗ１−Ｗ２だけ第１構造物１から遠ざかる、すなわち、第１構造物１から傾斜面３１ａまでの距離が変位発生前の距離に戻ることになる。そして、図６（ｇ）に示すように、取り外した本体４１を取り付け、最後に、図６（ｈ）に示すように、本体４１に床板ユニット４５を、取り外した時とは逆の手順ではめ込む。すると、本体４１の第１構造物１から遠い方の端部は、施工当初と同じく傾斜部３１と下水平部３２との境界部に位置することになるので、カバー体４の上面は水平になり、見た目には構造物１，２の変位前とほぼ変わらない状態となる。こうしてせり上がったままとなったジョイント１００の復旧作業が終了する。
【００３１】
なお、図示は省略するが、第１構造物１と第２構造物２とが離れるように変位し、カバープレート４３の先端部がスライドガイド３の傾斜面３１ａまたは下水平部３２に達し、カバープレート４３が第２構造物２の床面２ａよりも下に沈み込んでしまった場合には、下水平部の幅を構造物１，２の変位分だけ短くするとともに上水平部の幅を同じ分だけ長くしたスライドガイドと交換することで応急処置が可能である。
【００３２】
以上のように、本実施形態のジョイント１００（床用エキスパンションジョイント）は、第２構造物２床面２ａの第１構造物１方向の側方から、第１構造物１に近づくに従って下がっていくように傾斜する傾斜面３１ａと、傾斜面３１ａの下端から、第１構造物１の存在する方向に向かって、床面１ａ，２ａと並行に延びる載置面３２ａと、一端部が第１構造物１に、第１構造物１に対し上下方向に回動可能に取り付けられるとともに、他端部が載置面３２ａに載置されたカバー体４と、を備え、スライドガイド３（傾斜面を形成する部材）は、第２構造物２に対し着脱可能とした。
また、新しく交換する部品はスライドガイド３のみとなり、その他の部品は補修前から使用していたものをそのまま再利用できるので、低コストで補修作業を行うことができる。
また、このジョイント１００の復旧工事においては、足場や仮囲いなどが不要となり、下の階の利用者への影響を少なくすることができる。このため、例えば駅の人工地盤のように、その下方を列車や歩行者が通過するような箇所に設置されたジョイント１００の復旧を行う場合であっても、時間を選ばずに作業を行うことができ、工期の短縮を図ることができる。
【００３３】
ところで、従来、床用エキスパンションジョイントは、商業施設内で用いられることがあり、そのような場合、カバー体の上面の外観を、構造物の床面に合わせたものとすることがあった。商業施設は、他の施設に比べて、改装が頻繁に行われるのが一般的である。改装の際には、壁や天井だけではなく、床板も変更される場合がある。構造物の床板が変更されると、構造物の床面の外観と取り付けられていた床用エキスパンションジョイントの外観とが異なってしまうので、床用エキスパンションジョイントの外観も構造物の床面の変更に合わせて変更することが望ましい。しかしながら、従来の床用エキスパンションジョイントは、各部材が構造物の躯体に固定されていたために、外観の変更に手間がかかっていた。このため、頻繁に改装が行われる商業施設においては、床用エキスパンションジョイントの外観の変更が、内装の変更に追いつけない状態となっていた。
また、床用エキスパンションジョイントの上面が損傷した場合、部品の取り替えに時間がかかっていたので、いつまでも損傷した状態が目につくことになり、美観を損ねてしまっていた。
【００３４】
そこで、本実施形態では、カバー体４は、本体４１と本体４１に着脱可能に取り付けられた床板ユニット４５とで構成されたものとした。
こうすることで、床板ユニット４５が損傷し、ジョイント１００の外観が損なわれたとしても、床板ユニット４５のみを取り外して交換することができるので、補修作業が容易になる。
また、例えば、構造物１，２の床面１ａ，２ａの外観を変更したい場合などに、床板ユニット４５のみを交換するだけで構造物１，２の床面１ａ，２ａに合わせることができるので、内装の変更が頻繁な商業施設において、床用エキスパンションジョイントの外観のみ変更できない、或いは変更が遅れる、といった事態を避けることができる。
また、床板ユニット４５を取り外した後の本体４１は再利用できるので経済的である。
【００３５】
＜第２実施形態＞
次に、図面を参照して、本発明の第２実施形態について説明する。なお、ここでは、第１実施形態との相違点のみ説明することとする。
【００３６】
まず、本実施形態の床用エキスパンションジョイントの具体的構成について説明する。図７は、床用エキスパンションジョイント２００の上面図である。
本実施形態の床用エキスパンションジョイント２００は、第１実施形態と同様に床用のものであり、図７に示すように、第１構造物１と、第１構造物１と所定間隔Ｗ１を空けて設けられている第２構造物２との間にある上面視Ｖ字型の空間Ｃ２を、上面視台形の第１ジョイント１０と、第１ジョイントと斜辺に関して対称な形状の第２ジョイント２０とを、両斜辺１０ａ，２０ａが接するように配置することにより覆っている。本実施形態の場合、第１ジョイント１０と第２ジョイント２０の構成は左右対称である点を除いて同じであるため、以下、第１ジョイント１０の構成についてのみ説明する。
【００３７】
第１ジョイント１０のスライドガイド３Ａは、第１実施形態と同様、傾斜部３１と、下水平部３２と、上水平部３３と、を有しているが、第１実施形態は上面視の形状が矩形であったのに対し、本実施形態のスライドガイド３Ａは、上面視の形状が台形の部材となっている。
カバー体４の本体４１は、断面形状は第１実施形態と同様であるが、上面視の形状が台形となっている。カバープレート４３の、第２ジョイント２０と接することになる先端部は鋭角になるため、図７に示すように、安全のために削られている。
床板ユニット４５は、図７に示したように、上面視形状が矩形の矩形ユニット４５Ａと、上面視形状が直角三角形の三角形ユニット４５Ｂとがあり、矩形ユニット４５Ａと、三角形ユニット４５Ｂとを並べて配置することにより、上面視台形となるように構成されている。なお、本実施形態の矩形ユニット４５Ａは、第１実施形態の床板ユニット４５と同じものであり、三角形ユニット４５Ｂは、上面視形状が異なる点を除いて矩形ユニット４５Ａと同様の構成となっている。
【００３８】
従来、構造物の形状や配置によっては、上面視く字状、Ｌ字状、Ｖ字状といった形状の空間が形成されることがあった。そして、構造物内のレイアウト次第では、そのような途中で折れ曲がった空間を跨ぐ床用エキスパンションジョイントを設ける必要が出てくる場合があった。しかしながら、従来の床用エキスパンションジョイントでは、構造物が変位する際にカバープレートがばたつく、或いは浮き上がる等の問題があり、構造物内の歩行者が躓く、足を挟まれるおそれがあった。
また、このような個所を避けて床用エキスパンションジョイントを配置しようとすると、構造物内のレイアウト、とりわけ隣の構造物と接続するための通路は、直線状の空間に沿った箇所にしか配置することができなくなるので、レイアウトの自由度が狭められていた。
【００３９】
そこで、本実施形態のジョイント２００は、第１ジョイント１０と、第１ジョイント１０に接するように配置された第２ジョイント２０と、で構成され、第１ジョイント１０の第２ジョイント２０と接する辺（斜辺１０ａ）が、第１ジョイント１０の延設方向に対し傾斜したものとした。
こうすることで、第１ジョイント１０と第２ジョイント２０を繋ぎ合わせたジョイント２００は、上面視の形状が中間部で折れ曲がったく字状、Ｌ字状或いはＶ字状となる。また、第１ジョイント１０と第２ジョイント２０は互いに接しているだけなので、構造物１，２が変位した時にはそれぞれ独立した動きをする。このため、Ｖ字型の空間Ｃ２上に設置しても、カバープレート４３のばたつきや浮き上がりを抑えることができ、利用者の安全性を高めることができる。
【００４０】
以上、本発明を実施形態に基づいて具体的に説明してきたが、本発明は上記実施形態に限定されるものではなく、その要旨を逸脱しない範囲で変更可能である。
例えば、上記実施形態では、スライドガイドが載置面の上を摺動するようにしたが、カバー体をローラーなどで支え、スライドガイドの上面をローラーが転がるような構成としてもよい。
また、上記実施形態では、第１支持部材にカバー体を取り付け、第２支持部材にスライドガイドを取り付けたが、カバー体を第1躯体に、スライドガイドを第２躯体にそれぞれ直接取り付けるようにしてもよい。
また、上記実施形態では、枠と化粧パネルからなる床板ユニットを用いたが、化粧パネルのみで床板ユニットを構成するようにしてもよい。
また、第２実施形態では、第１ジョイントと第２ジョイントを左右対称な形状としたが、一方を台形、他方を矩形とするなど、非対称の形状としてもよい。
【符号の説明】
【００４１】
１００，２００  床用エキスパンションジョイント
１  第１構造物
１３  第１支持部材
２  第２構造物
２３  第２支持部材
３  スライドガイド（傾斜面を形成する部材）
３１ａ  傾斜面
３２ａ  載置面
４  カバー体
４１  本体
４５  床板ユニット
４６  枠
４７，４７Ａ，４７Ｂ  化粧パネル
【図１】
2015148066.tif 000003
【図２】
2015148066.tif 000004
【図３】
2015148066.tif 000005
【図４】
2015148066.tif 000006
【図５】
2015148066.tif 000007
【図６】
2015148066.tif 000008
【図７】
2015148066.tif 000009